(57)【要約】  硬表面から特に窓ガラスから液体を拭き去って吸い取るための可搬式硬表面洗浄器具（１０）であって、少なくとも１つの拭き去りリップ（１３２、１３４）が配置される吸引開口（１３０）を備えた吸引ノズル（１２６）と、前記吸引開口（１３０）から気液混合体を吸い取るための前記吸引ノズル（１２６）と流れ接続している吸引ユニット（１４）と、前記吸引ノズル（１２６）と前記吸引ユニット（１４）との間の流路内に配置されると共に、前記気液混合体から液体を分離するための分離装置（１２０、１２２）が配置される分離チャンバ（１１８）と、前記分離チャンバ（１１８）内で分離された前記液体を受けるための汚濁液タンク（６０）が解放可能に保持されるタンク収容区画（３０）とを含み、前記タンク収容区画（３０）が少なくとも１つの支持要素（４０）及び少なくとも１つの保持要素を含み、前記少なくとも１つの支持要素（４０）が前記汚濁液タンク（６０）の下方タンク区域（８８）の下から係合し、前記少なくとも１つの保持要素が前記汚濁液タンク（６０）の上方タンク区域（８２）に解放可能に接続可能である、可搬式硬表面洗浄器具。前記可搬式硬表面洗浄器具（１０）をより費用効果的に製造できるよう更に発展させるために、本発明によれば、可搬式硬表面洗浄器具が前記汚濁液タンク（６０）の前記上方タンク区域（８２）を間で受ける２つの保持要素（９０、９２）を含むことが提案される。
2016527951.tif 000002
【特許請求の範囲】
【請求項１】
硬表面から、特に窓ガラスから液体を拭き去って吸い取るための可搬式硬表面洗浄器具であって、
少なくとも１つの拭き去りリップ（１３２、１３４）が配置される吸引開口（１３０）を備えた吸引ノズル（１２６）と、
前記吸引開口（１３０）から気液混合体を吸い取るための、前記吸引ノズル（１２６）と流れ接続している吸引ユニット（１４）と、
前記吸引ノズル（１２６）と前記吸引ユニット（１４）との間の流路内に位置決めされると共に、前記気液混合体から液体を分離するための分離装置（１２０、１２２）が配置される分離チャンバ（１１８）と、
前記分離チャンバ（１１８）内で分離された前記液体を受けるための汚濁液タンク（６０）が解放可能に保持されるタンク収容区画（３０）と
を含み、
前記タンク収容区画（３０）が、少なくとも１つの支持要素（４０）及び少なくとも１つの保持要素を含み、
前記少なくとも１つの支持要素（４０）が、前記汚濁液タンク（６０）の下方タンク区域（８８）の下から係合し、
前記少なくとも１つの保持要素が、前記汚濁液タンク（６０）の上方タンク区域（８２）に解放可能に接続可能である、
可搬式硬表面洗浄器具において、
前記硬表面洗浄器具（１０）が、前記汚濁液タンク（６０）の前記上方タンク区域（８２）を間で受ける２つの保持要素（９０、９２）を含むこと、を特徴とする可搬式硬表面洗浄器具。
【請求項２】
請求項１に記載の可搬式硬表面洗浄器具であって、前記可搬式硬表面洗浄器具（１０）が、前記吸引ユニット（１４）が配置される基部（１２）を含むことを特徴とする可搬式硬表面洗浄器具。
【請求項３】
請求項２に記載の可搬式硬表面洗浄器具であって、前記基部（１２）が、前記タンク収容区画（３０）を形成することを特徴とする可搬式硬表面洗浄器具。
【請求項４】
請求項１〜３のいずれか１項に記載の可搬式硬表面洗浄器具であって、前記可搬式硬表面洗浄器具（１０）が、前記分離チャンバ（１１８）が配置される分離部（１１４）を含むことを特徴とする可搬式硬表面洗浄器具。
【請求項５】
請求項４に記載の可搬式硬表面洗浄器具であって、前記分離部（１１４）が、前記基部（１２）に解放可能に接続されることを特徴とする可搬式硬表面洗浄器具。
【請求項６】
請求項４又は５に記載の可搬式硬表面洗浄器具であって、前記吸引ノズル（１２６）が、前記分離部（１１４）に解放可能に接続されることを特徴とする可搬式硬表面洗浄器具。
【請求項７】
請求項１〜６のいずれか１項に記載の可搬式硬表面洗浄器具であって、
前記硬表面洗浄器具（１０）が垂直に整列する時に、前記汚濁液タンク（６０）の前記下方タンク区域（８８）が、前記タンク収容区画（３０）の支持エリア（３８）内に垂直方向に挿入可能であり、
前記汚濁液タンク（６０）を水平枢軸の周りで枢動することにより、前記上方タンク区域（８２）が、前記上方タンク区域（８２）が前記２つの保持要素（９０、９２）間で位置決めされる保持位置へとその後枢動可能であること
を特徴とする可搬式硬表面洗浄器具。
【請求項８】
請求項１〜７のいずれか１項に記載の可搬式硬表面洗浄器具であって、前記上方タンク区域（８２）が、前記２つの保持要素（９０、９２）に解放可能に掛止可能であることを特徴とする可搬式硬表面洗浄器具。
【請求項９】
請求項８に記載の可搬式硬表面洗浄器具であって、
第１掛止要素が、前記上方タンク区域（８２）上で前記汚濁液タンク（６０）の互いから離れる方を向く外側（７４、７６）に配置され、
前記保持要素（９０、９２）上に配置された第２掛止要素が、前記第１掛止要素の後方に係合可能であること
を特徴とする可搬式硬表面洗浄器具。
【請求項１０】
請求項１〜９のいずれか１項に記載の可搬式硬表面洗浄器具であって、前記汚濁液タンク（６０）が、両側において、前記保持要素（９０、９２）の下で前記タンク収容区画（３０）から突き出ることを特徴とする可搬式硬表面洗浄器具。
【請求項１１】
請求項１〜１０のいずれか１項に記載の可搬式硬表面洗浄器具であって、前記タンク収容区画（３０）が後壁（３２）を有し、前記汚濁液タンク（６０）が該後壁（３２）のエリア内で寄りかかり、該後壁（３２）が少なくとも１つの貫通開口（５２、５６）を有することを特徴とする可搬式硬表面洗浄器具。
【請求項１２】
請求項１１に記載の可搬式硬表面洗浄器具であって、前記汚濁液タンク（６０）が、少なくとも１つの貫通開口（５２）内へ延びることを特徴とする可搬式硬表面洗浄器具。
【請求項１３】
請求項１１又は１２に記載の可搬式硬表面洗浄器具であって、
前記硬表面洗浄器具（１０）が取手（２２）を含み、
前記後壁（３２）の少なくとも１つの貫通開口（５２）が開放する取手開口が、前記取手（２２）と前記タンク収容区画（３０）の前記後壁（３２）との間に配置されること
を特徴とする可搬式硬表面洗浄器具。
【請求項１４】
請求項１１、１２、又は１３に記載の可搬式硬表面洗浄器具であって、少なくとも１つの貫通開口（５２）が、前記２つの保持要素（９０、９２）間に配置されるエリア内へ延びることを特徴とする可搬式硬表面洗浄器具。
【請求項１５】
請求項１〜１４のいずれか１項に記載の可搬式硬表面洗浄器具であって、
前記硬表面洗浄器具（１０）が、前記分離チャンバ（１１８）内で分離された前記液体を前記汚濁液タンク（６０）に充填するための充填装置（９４）を含み、
前記充填装置（９４）が、前記汚濁液タンク（６０）の上側（６２）に位置決め可能であると共に前記汚濁液タンク（６０）の充填用開口（６４）を介して前記汚濁液タンク（６０）内へ延びる充填チャネル（９８）が保持される保持部材（９６）を有し、
前記保持部材（９６）が、前記分離チャンバ（１１８）と前記汚濁液タンク（６０）との間で緊締可能であること
を特徴とする可搬式硬表面洗浄器具。
【請求項１６】
請求項１５に記載の可搬式硬表面洗浄器具であって、垂直方向で互いの中に挿入可能な案内要素（６６、６８、１０２、１０４）が、前記汚濁液タンク（６０）の上側（６２）に及び前記保持部材（９６）上に配置されることを特徴とする可搬式硬表面洗浄器具。
【請求項１７】
請求項１６に記載の可搬式硬表面洗浄器具であって、前記汚濁液タンク（６０）の上側（６２）に配置される前記案内要素が、前記充填用開口（６４）の両側に配置される案内ピン（６６、６８）として構成されることを特徴とする可搬式硬表面洗浄器具。
【請求項１８】
請求項１７に記載の可搬式硬表面洗浄器具であって、前記保持部材（９６）上に配置される前記案内要素が、前記案内ピン（６６、６８）を受ける案内溝（１０２、１０４）として構成されることを特徴とする可搬式硬表面洗浄器具。
【請求項１９】
請求項１５〜１８のいずれか１項に記載の可搬式硬表面洗浄器具であって、
前記汚濁液タンク（６０）が、保持プレート（１０８）により包囲されるカラー（６３）を含み、
前記汚濁液タンク（６０）の排水口（１１２）を閉鎖するための閉鎖プラグ（１１０）が、前記保持プレート（１０８）に固定されること
を特徴とする可搬式硬表面洗浄器具。
【請求項２０】
請求項１９に記載の可搬式硬表面洗浄器具であって、前記保持プレート（１０８）が、前記保持部材（９６）と前記汚濁液タンク（６０）との間で緊締されることを特徴とする可搬式硬表面洗浄器具。
【請求項２１】
請求項１５〜２０のいずれか１項に記載の可搬式硬表面洗浄器具であって、前記保持部材（９６）が、プレート形の構成であることを特徴とする可搬式硬表面洗浄器具。
【請求項２２】
請求項１５〜２１のいずれか１項に記載の可搬式硬表面洗浄器具であって、前記保持部材（９６）が、楔形の構成であることを特徴とする可搬式硬表面洗浄器具。
【発明の詳細な説明】
【技術分野】
【０００１】
本発明は、硬表面から、特に窓ガラスから液体を拭き去って吸い取るための可搬式硬表面洗浄器具であって、少なくとも１つの拭き去りリップが配置される吸引開口を備えた吸引ノズルと、前記吸引開口から気液混合体を吸い取るための、前記吸引ノズルと流れ接続している吸引ユニットと、前記吸引ノズルと前記吸引ユニットとの間の流路内に位置決めされると共に、気液混合体から液体を分離するための分離装置が配置される分離チャンバと、前記分離チャンバ内で分離された前記液体を受けるための汚濁液タンクが解放可能に保持されるタンク収容区画とを含み、このタンク収容区画が少なくとも１つの支持要素及び少なくとも１つの保持要素を含み、前記少なくとも１つの支持要素が、前記汚濁液タンクの下方タンク区域の下から係合し、前記少なくとも１つの保持要素が、前記汚濁液タンクの上方タンク区域に解放可能に接続可能である、可搬式硬表面洗浄器具に関する。
【背景技術】
【０００２】
このような可搬式硬表面洗浄器具が、例えばEP 2 237 711 B1から、ならびにEP 2 230 980 B1及びEP 2 227 126 B1からも知られている。この可搬式硬表面洗浄器具を用いて、硬表面、特に窓ガラスを洗浄することができる。可搬式硬表面洗浄器具は、少なくとも１つの拭き去りリップを、手動によるゴムぞうきんのやり方で硬表面に沿って移動させることができるのであり、硬表面から液体を拭き去ることができる。液体は可搬式硬表面洗浄器具の吸引ノズルの吸引開口に集積するのであり、この液体を吸引開口から吸い取り、汚濁液タンクに転移することができる。この目的で、可搬式硬表面洗浄器具は吸引ノズルと流れ接続している吸引ユニットを含む。吸引ユニットによって、吸引開口のエリア内に吸引流れを発生させることができ、その効果下に吸引開口を介して液体及び気体の混合体を吸い込むことができる。
【０００３】
吸引ノズルと吸引ユニットとの間の流路内に分離チャンバが位置決めされる。分離チャンバ内に配置されるのは、気液混合体から液体をそれによって分けることのできる分離装置である。液体はその後、汚濁液タンク内に集積することができるのであり、この汚濁液タンクは、タンク収容区画内で解放可能に保持される。吸込み空気を吸引ユニットにより環境に放出することができる。
【０００４】
汚濁液タンクは、タンク収容区画内でタンク収容区画の支持要素及び保持要素によって固定される。少なくとも１つの支持要素が汚濁液タンクの下方タンク区域の下から係合し、汚濁液タンクの上方タンク区域は、少なくとも１つの保持要素によってタンク収容区画に解放可能に接続することができる。このことにより、使用者が必要に応じてタンク収容区画から汚濁液タンクを除去し、その後、汚濁液タンクをタンク収容区画内に再度挿入することが可能になる。汚濁液タンクは、例えば使用者が空にしたい場合、除去し及び挿入することができる。
【０００５】
冒頭で言及した種類の可搬式硬表面洗浄器具は、実務におけるその価値を証明している。普通、タンク収容区画の保持要素が汚濁液タンクの上方タンク区域の上から係合するのであり、タンク収容区画内に挿入された汚濁液タンクは、タンク収容区画の下端に配置された支持要素と、タンク収容区画の上端に配置された保持要素との間に位置をとる。これにより、汚濁液タンクの高い寸法精度が必要になるため硬表面洗浄器具の製造はかなりの費用を伴う。
【先行技術文献】
【特許文献】
【０００６】
【特許文献１】EP 2 237 711 B1
【特許文献２】EP 2 230 980 B1
【特許文献３】EP 2 227 126 B1
【発明の概要】
【発明が解決しようとする課題】
【０００７】
従って、本発明の目的は、前記一般的な種類の可搬式硬表面洗浄器具を、より費用効果的に製造できるように更に発展させることである。
【課題を解決するための手段】
【０００８】
この目的は、本発明によれば冒頭で言及した種類の可搬式硬表面洗浄器具に関して、前記硬表面洗浄器具が、前記汚濁液タンクの前記上方タンク区域を間で受ける２つの保持要素を含むという点で達成される。
【０００９】
本発明による前記可搬式硬表面洗浄器具において、前記汚濁液タンクは前記タンク収容区画内で、前記汚濁液タンクの下から係合する前記タンク収容区画の少なくとも１つの支持要素と、前記汚濁液タンクの上方タンク区域を間で受ける２つの保持要素とにより固定される。このような構成は、前記汚濁液タンクの前記寸法精度の要件を比較的低く保てるという利点を有する。前記汚濁液タンクの上方タンク区域における幅は、前記２つの保持要素間の距離に対応することが確実にされねばならない。この要件は、比較的単純な仕方で満たすことができる。例えば、前記汚濁液タンクが、ブロー成形過程において作製されたプラスチック部を形成することを実現することができる。これとは対照的に、前記タンク収容区画は射出成形過程において、一部分又は多部分、特に２部分プラスチック成形部として、前記２つの保持要素間の前記距離を前記汚濁液タンクの前記上方タンク区域における前記幅に対応させて作製することができる。この要件は、特に前記射出成形過程において狭い寸法公差で、費用効果的なやり方において満たすことができる。
【００１０】
前記吸引ユニットが配置される基部を前記可搬式硬表面洗浄器具が含むことが有利である。
【００１１】
前記基部は、好ましくは前記タンク収容区画を形成する。
【００１２】
有利な実施形態において、前記可搬式硬表面洗浄器具は前記分離チャンバが配置される分離部を含む。
【００１３】
前記分離部が、前記基部に解放可能に接続されることが好都合である。
【００１４】
前記吸引ノズルが、前記分離部に解放可能に接続されることを実現することができる。
【００１５】
前記硬表面洗浄器具が垂直に整列する時に、前記汚濁液タンクの前記下方タンク区域が前記タンク収容区画の支持エリア内に垂直方向で挿入可能であり、その後、前記汚濁液タンクを水平枢軸の周りで枢動することにより、前記上方タンク区域は、前記上方タンク区域が前記２つの保持要素間に位置決めされる保持位置へと枢動可能であることが好都合である。このことにより、前記汚濁液タンクをタンク収容区画内へ挿入すること及び前記汚濁液タンクを前記タンク収容区画から除去することが促進される。
【００１６】
前記２つの保持要素は、好都合なことに弾性的に変形可能な構成である。
【００１７】
前記上方タンク区域が、前記２つの保持要素に解放可能に掛止可能であることが特に有利である。
【００１８】
例えば前記上方タンク区域上で、前記汚濁液タンクの互いから離れる方を向く外側に第１掛止要素が配置され、前記保持要素上に配置された第２掛止要素が前記第１掛止要素の後方に係合可能であることを実現することができる。
【００１９】
前記第１掛止要素は、例えば前記汚濁液タンクの前記上端に配置された凹部の形態に構成することができ、前記汚濁液タンクが前記タンク収容区画内に挿入される際に、前記凹部に相補的構成である掛止突起がこの凹部の後方に係合することができる。この目的で、前記保持要素は前記対応する掛止突起を形成することができる。
【００２０】
前記２つの保持要素は、好ましくは保持アームとして構成される。
【００２１】
本発明の有利な構成において、前記保持アームは前記タンク収容区画の側壁に形成される。
【００２２】
使用者が前記汚濁液タンクを前記タンク収容区画から除去することをより簡単にするために、有利な構成における前記汚濁液タンクは両側において前記保持アームの下で前記タンク収容区画から突き出る。使用者は、前記汚濁液タンクを、前記両側が前記タンク収容区画から突き出る前記タンクエリアにて把持する可能性を有するため、前記汚濁液タンクを前記タンク収容区画から容易に除去し及び前記汚濁液タンクを前記タンク収容区画内に挿入することができる。
【００２３】
前記両側が前記タンク収容区画から突き出る前記タンクエリアは、例えば、リブ様の又はストリップ様の構成とすることができる。
【００２４】
前記汚濁液タンクが寄りかかると共に少なくとも１つの貫通開口を有する後壁を前記タンク収容区画が有することが特に有利である。少なくとも１つの貫通開口を設けることにより、前記基部の重量を低減することが可能になり、これにより前記可搬式硬表面洗浄器具の取り扱いが促進される。更に、前記タンク収容区画の前記後壁内に少なくとも１つの貫通開口を設けることにより前記硬表面洗浄器具を製造するための材料の量を低減することができるため、前記硬表面洗浄器具を特に費用効果的に製造することができる。
【００２５】
本発明の有利な構成において、前記汚濁液タンクは前記後壁内の少なくとも１つの貫通開口内へ延びる。この目的で、前記汚濁液タンクは前記タンク収容区画の前記後壁を向くその後ろ側に、その輪郭が前記後壁内の貫通開口の輪郭に適合する少なくとも１つの突出エリアを有することができる。前記突出エリアは、前記貫通開口内に延びることができるため、前記汚濁液タンクの前記タンク収容区画内での固定が強化される。
【００２６】
本発明の有利な実施形態において、前記硬表面洗浄器具は取手を含み、前記取手と前記タンク収容区画の前記後壁との間に配置されるのは、前記後壁の少なくとも１つの貫通開口が開放する取手開口である。使用者は、前記基部の前記取手を把握することができ、そうする際、前記タンク収容区画の前記後壁と前記取手との間の前記取手開口を通して指が届く。使用者にとって、前記タンク収容区画内に挿入された前記汚濁液タンクは、前記取手開口の前記エリアにおいて前記後壁内の前記少なくとも１つの貫通開口を介してアクセス可能である。このことにより、使用者は前記後壁内の前記貫通開口にて前記汚濁液タンクを押し進めることが可能になる。このことにより、前記汚濁液タンクを前記タンク収容区画から除去することが促進される。
【００２７】
好都合なことに、前記タンク収容区画の前記後壁内の少なくとも１つの貫通開口が、前記２つの保持要素間に配置されるエリア内へ延びる。これによって、使用者は前記２つの保持要素間の前記エリアにおいて前記汚濁液タンクを前記後壁内の前記貫通開口を介して押し進め、前記保持要素と前記汚濁液タンクとの間の機械的接続を解放することができる。従って、前記汚濁液タンクの前記タンク収容区画からの除去が特に簡単になる。
【００２８】
上述したように、前記汚濁液タンクは前記分離チャンバ内で分離された前記液体を集積する。特に好適な構成において、本発明による前記可搬式硬表面洗浄器具は、前記分離チャンバ内で分離された前記液体を前記汚濁液タンクに充填するための充填装置を含むのであり、前記汚濁液タンクの上側に位置決め可能であると共に、前記汚濁液タンクの充填用開口を介して前記汚濁液タンク内へ延びる充填チャネルが保持される保持部材を前記充填装置は有し、前記保持部材は前記分離チャンバと前記汚濁液タンクとの間で緊締可能である。
【００２９】
前記分離チャンバ内で前記充填装置を介して分離された前記液体を前記汚濁液タンクに充填することができる。前記分離された液体は前記汚濁液タンクに、前記充填チャネルを介して侵入する。前記充填チャネルは、前記分離チャンバと前記汚濁液タンクとの間で緊締することのできる保持部材上で保持される。このことにより、前記硬表面洗浄器具の構造的設計が簡素化され、その製造費用が低減される。
【００３０】
垂直方向で互いの中に挿入可能な案内要素が、前記汚濁液タンクの上側に及び前記保持部材上に配置されることが有利である。前記充填チャネルが前記汚濁液タンク内へ延びる状態では、前記案内要素は、前記保持部材の前記汚濁液タンク上での位置決めを促進する。
【００３１】
前記案内要素は、例えば案内ピンの前記形態にすることができ、これらの案内ピンと相補的構成である容器を案内することができる。
【００３２】
前記汚濁液タンクの上側に配置される前記案内要素が、前記汚濁液タンクの充填用開口の両側に配置される案内ピンとして構成されることが特に有利である。
【００３３】
本発明の有利な実施形態において、前記汚濁液タンクは保持プレートにより包囲されるカラーを含み、前記保持プレートには、前記汚濁液タンクの排水口を閉鎖するための閉鎖プラグが固定される。このような構成を用いれば、使用者は、閉鎖プラグによって閉鎖することのできる排水口を介して前記汚濁液タンクを空にする前記可能性を有する。前記閉鎖プラグが紛失しないようにするために、閉鎖プラグは前記汚濁液タンクのカラーを包囲する保持プレート上で保持される。
【００３４】
前記閉鎖プラグは、好ましくは、前記保持プレートと組み合わさって、一部分のプラスチック成形部を形成する。
【００３５】
前記保持プレートが前記保持部材と前記汚濁液タンクとの間で緊締されることが好都合である。
【００３６】
上述したように、前記充填装置の前記保持部材の、対応する案内要素と相互作用する案内要素が、前記汚濁液タンクの上側に配置されることが好都合である。これに関連して、前記保持プレートが、前記案内要素に解放可能に接続可能であることが有利である。前記保持プレートは、例えば、前記案内要素がそこを通って延びる開口を有することができる。
【００３７】
好適な構成において、前記保持部材はプレート形の構成である。このことは、前記充填装置に高い機械的安定性を与える。
【００３８】
前記保持部材が楔形の構成であることが特に好都合である。
【００３９】
前記充填装置は、好ましくは、前記充填チャネルに加えて、前記汚濁液タンク内に液体を充填する際に空気が前記汚濁液タンクから前記分離チャンバ内にそれを介して逸出することのできる通気チャネルを含む。
【００４０】
前記通気チャネルは、好都合なことに前記充填チャネルと平行に延びる。
【００４１】
前記通気チャネルが、前記充填チャネルの前記分離チャンバを向く自由端を越えて突き出ることが有利である。
【００４２】
本発明による前記硬表面洗浄器具は、好ましくは可搬式窓用洗浄器具を形成する。
【００４３】
図面と合わせると更に説明するため、本発明の有利な実施形態の以下に記載する。
【図面の簡単な説明】
【００４４】
【図１】可搬式硬表面洗浄器具の斜視図。
【図２】図１の硬表面洗浄器具の断面図。
【図３】図１の硬表面洗浄器具の汚濁液タンクを備えた基部の斜視図。
【図４】汚濁液タンクを備えた図３の基部の平面図。
【図５】汚濁液タンクのない図３の基部の斜視図。
【図６】図１の硬表面洗浄器具の充填装置を共に備えた汚濁液タンクの斜視図。
【図７】充填装置のない図１の汚濁液タンクの斜視図。
【発明を実施するための形態】
【００４５】
全体として参照符号１０で表す、本発明による可搬式硬表面洗浄器具の有利な実施形態を、図面に概略的に示す。可搬式硬表面洗浄器具１０によって、液体を硬表面から特に窓ガラスから拭き去って吸い取ることができる。硬表面洗浄器具１０は、手動による窓用ゴムぞうきんのやり方で、使用者により硬表面に沿って移動させることができる。従って、本発明による可搬式硬表面洗浄器具は、窓用洗浄器具を形成する。
【００４６】
硬表面洗浄器具１０は、特に図５で概略的に示す基部１２を含む。基部１２は、電気モータ１８により回転させられる吸引タービン１６を備えた吸引ユニット１４を包囲する。吸引タービン１６により、弓形に湾曲したタービン入口線２０を介して空気を引き込むことができる。タービン入口線２０は、基部１２の取手２２を通って走る。取手２２は使用者により把握することができる。
【００４７】
基部１２は、吸引ユニット１４に加えて、再充電可能なバッテリ２４及び制御エレクトロニクス２６を収容する。
【００４８】
吸引ユニット１４は、タービン入口線２０がそれに一体的に接続される内部ハウジング２８内に、バッテリ２４及び制御エレクトロニクス２６と共に配置される。吸引ユニット１４は吸引タービン１６及び電気モータ１８を含む。内部ハウジング２８は、吸引ユニット１４用、バッテリ２４用、及び制御エレクトロニクス２６用の泥よけを形成する。
【００４９】
基部１２は、取手２２から距離をおいたところに、基本的に後壁３２と第１側壁３４と第２側壁３６とを備えたタブのやり方で構成されるタンク収容区画３０を形成する。タンク収容区画３０の下方エリアにおいて後壁３２に接しているのは、支持エリア３８である。支持エリア３８は、そのうちの１つのみの支持要素４０が図面において認識可能である、後壁３２から突き出る２つの支持要素と、支持要素４０の周りに係合する２つの把持用アーム４２、４４とにより形成される。
【００５０】
後壁３２は、略垂直に延びる上方壁区域４６と、垂直線に対して傾いて整列する隣接の中間壁区域４８と、階段状構成である下方壁区域５０とを有する。上方壁区域４６において、後壁３２は、取手２２と後壁３２との間に配置された取手開口５４にタンク収容区画３０がそれを介して接続される第１貫通開口５２を有する。使用者は、取手２２を把握する際、取手開口５４を通して指が届くことができる。
【００５１】
中間壁区域４８において、後壁３２は、吸引ユニット１４のタービン出口線５８がそこを通って走る第２貫通開口５６を有する。このことは図５から明らかであろう。
【００５２】
タンク収容区画３０内に挿入可能であるのは、必要に応じてこのタンク収容区画３０から再度除去することもできる汚濁液タンク６０である。汚濁液タンク６０は、タンク収容区画３０によりそのエリア内にポジティブロックによって収容される。汚濁液タンク６０は上側６２に、第１案内ピン６６と第２案内ピン６８との間に配置される、充填用開口６４を備えた充填用ネック６３を有する。２つの案内ピン６６、６８は、汚濁液タンク６０の上側６２から垂直方向に突き出る。
【００５３】
汚濁液タンク６０は、２つの案内ピン６６、６８に隣接して、汚濁液タンク６０の互いから離れる方を向く狭窄側７４、７６に配置される２つの凹部７０、７２を形成する。
【００５４】
汚濁液タンク６０は、後壁３２を向くその後ろ側７８に、第１貫通開口５２内へ延びる突出エリア８０を有する。
【００５５】
突出エリア８０、ならびに凹部７０、７２及び案内ピン６６、６８は、汚濁液タンク６０の上方タンク区域８２内に置かれる。上方タンク区域８２に接しているのは、後壁３２の中間壁区域４８から距離をとる傾斜面８６を有する中間タンク区域８４である。このことは、特に図２から明らかである。
【００５６】
中間タンク区域８４に接しているのは、図２に示すように硬表面洗浄器具１０が垂直に整列する時に、垂直方向で支持エリア３８内に挿入することのできる下方タンク区域８８である。その場合、上方タンク区域８２は、汚濁液タンク６０の突出エリア８０が後壁３２内の第１開口５２に侵入するように、水平に整列する枢軸の周りで後向きに枢動することができる。
【００５７】
タンク収容区画３０の側壁３４及び３６には、凹部７０、７２の高さのところに、保持アーム９０、９２の形態の弾性的に変形可能な保持要素が形成される。保持アーム９０、９２は平面図ではＬ形をしている。保持アーム９０、９２は、これらの保持アーム間に上方タンク区域８２を凹部７０、７２のエリア内で受け、凹部７０、７２の後方に係合する。このことは、特に図４から明らかであろう。
【００５８】
従って、汚濁液タンク６０はタンク収容区画３０に、凹部７０、７２及び相補的構成である保持アーム９０、９２によって掛止することができる。凹部７０、７２は、保持アーム９０、９２と相互作用して解放可能な掛止接続を確立する第１掛止要素を形成する。保持アーム９０、９２は、第１掛止要素と相互作用する第２掛止要素を形成する。
【００５９】
汚濁液タンク６０のタンク収容区画３０からの除去を促進するために、使用者は、弾性的に変形可能な保持アーム９０、９２が凹部７０、７２を解放するように、汚濁液タンク６０を突出エリア８０において、後壁３２内の第１貫通開口５２を通して押し進めることができ、そうすると汚濁液タンク６０を支持エリア３８から除去することができる。
【００６０】
汚濁液タンク６０には、充填装置９４を介して充填が行われる。充填装置９４は、楔形の構成であり汚濁液タンク６０の上側６２に垂直方向に設置することのできるプレート形の保持部材９６を有する。保持部材９６はその下側で、汚濁液タンク６０内へ延びる充填チャネル９８を担持するのであり、充填チャネル９８と平行に走るのは通気チャネル１００である。通気チャネル１００も、汚濁液タンク６０内へ延び、上端区域が保持部９６を越えて突き出る。このことは、特に図２から明らかであろう。
【００６１】
保持部材９６は、第１案内溝１０２及び第２案内溝１０４の形態の２つの案内要素を有する。保持部材９６が汚濁液タンク６０の上側６２に設置される際、第１案内溝１０２は第１案内ピン６６を受け、第２案内溝１０４は第２案内ピン６８を受ける。２つの案内ピン６６、６８は、２つの案内溝１０２、１０４と組み合わさって、互いに垂直方向で係合する案内要素を形成する。このことにより、保持部材９６の汚濁液タンク６０の上側６２での位置決めが促進される。
【００６２】
上述したように、汚濁液タンク６０はその上側６２に充填用ネック６３を有する。充填用ネック６３の周りに保持プレート１０８が係合することができる。保持プレート１０８は、汚濁液タンク６０の排水口１１２をそれによって閉鎖することのできる閉鎖プラグ１１０に一体的に接続される。汚濁液タンク６０は排水口１１２を介して空にすることができる。従って、汚濁液タンク６０を空にするには、使用者は一方で、タンク収容区画３０から汚濁液タンク６０を丸ごと除去し、その後、汚濁液タンク６０を充填用開口６４を介して空にできるように汚濁液タンク６０から充填装置９４を除去する可能性を有し、他方で、使用者は汚濁液タンク６０をタンク収容区画３０内に残し、空にする目的で排水口１１２から閉鎖プラグ１１０を引き出すだけの可能性を有する。この間、閉鎖プラグ１１０は、汚濁液タンク６０上で保持プレート１０８によって脱落しないように保持される。汚濁液タンク６０が空にされた後、使用者は閉鎖プラグ１１０を排水口１１２内に再度挿入し、これによって排水口をきっちりと閉鎖することができる。
【００６３】
基部１２及び汚濁液タンク６０に頂部で接しているのは、掛止接続により基部１２に解放可能に接続される分離部１１４である。掛止接続を解放するために、分離部１１４の外側に押しボタンが配置される。図面では、押しボタン１１６が１つのみ認識可能である。更なる押しボタンが、分離部１１４の反対側に配置される。
【００６４】
分離部１１４は、分離装置が配置される分離チャンバ１１８を形成する。分離装置は、以下でより詳細に説明する衝突壁１２０及び衝突プレート１２２により形成される。衝突壁１２０は弓形に湾曲しており、分離チャンバ１１８内に配置されてタービン入口線２０が接続されるパイプ区域１２４の口状部エリアを網羅する。
【００６５】
分離部１１４に頂部で接しているのは、吸引線１２８を含む吸引ノズル１２６である。吸引線１２８は、第１拭き去りリップ１３２及び第２拭き去りリップ１３４がそこに配置される吸引開口１３０から走る。吸引線１２８は、端部区域が拭き去りリップ１３２、１３４から離れる方を向いた状態で、分離チャンバ１１８内へ延びる。吸引線１２８は、分離チャンバ１１８内へ延びるその端部では、衝突プレート１２２がそれに固定されると共に吸引出口１３８をそれの間で規定する複数の保持ウェブ１３６を形成する。
【００６６】
分離チャンバ１１８は吸引ユニット１４により負圧を受けることができる。この目的で、吸引ユニット１４は、タービン入口線２０及びパイプ区域１２４を介して分離チャンバ１１８と流れ接続している。分離チャンバ１１８が負圧を受けるおかげで、吸引開口１３０から出発して吸引線１２８を介する吸引流れが形成され、この吸引流れが吸引開口１３０から吸引ユニット１４まで走る。
【００６７】
上述したように、可搬式硬表面洗浄器具１０は使用者により硬表面に沿って、特に窓ガラスに沿って移動させることができる。このことにより、第１拭き去りリップ１３２及び第２拭き去りリップ１３３４を用いて硬表面から液体を拭き去ることが可能になる。この間、液体は吸引開口１３０に集積し、吸引空気と共に吸引線１２８を介して分離チャンバ１１８内に吸引される。分離チャンバ１１８内では、気液混合体は、まず運び去られる液体の一部がそこで分離される衝突プレート１２２に当たる。衝突プレート１２２から距離をおいたところに配置される衝突壁１２０で、液体の更なる分離が生じる。その際、吸込み空気は、パイプ区域１２４及びタービン入口線２０を介して吸引ユニット１４の吸引タービン１６まで通ることができる。吸込み空気は吸引タービン１６からタービン出口線５８を介して、タンク収容区画３０の後壁３２の中間壁区域４８と汚濁液タンク６０の中間タンク区域８４との間に配置される空気出口空間１４０内へ導かれる。その後、吸込み空気は空気出口空間１４０から、間隙状の空間１４２を介して環境に放出することができる。空間１４２は中間タンク区域８４内で、タンク収容区画３０の側壁３４、３６と汚濁液タンク６０の狭窄側７４、７６との間に延びる。
【００６８】
従って、汚濁液タンク６０はタンク収容区画３２と組み合わさって、吸引タービン１６により環境に放出される吸引空気用の流れラビリンスを形成する。このことにより、可搬式硬表面洗浄器具１０の雑音発生がかなり低減する。
【００６９】
分離チャンバ１１８内で分離された液体は、充填チャネル９８を介して汚濁液タンク６０に入るため、同時に、汚濁液タンク６０内に存在している空気を通気チャネル１００を介して分離チャンバ１１８に放出し、この分離チャンバから、パイプ区域１２４及びタービン入口線２０を介して吸い出すことができる。
【図１】
2016527951.tif 000003
【図２】
2016527951.tif 000004
【図３】
2016527951.tif 000005
【図４】
2016527951.tif 000006
【図５】
2016527951.tif 000007
【図６】
2016527951.tif 000008
【図７】
2016527951.tif 000009
【手続補正書】
【提出日】平成28年1月15日(2016.1.15)
【手続補正１】
【補正対象書類名】明細書
【補正対象項目名】００５６
【補正方法】変更
【補正の内容】
【００５６】
中間タンク区域８４に接しているのは、図２に示すように硬表面洗浄器具１０が垂直に整列する時に、垂直方向で支持エリア３８内に挿入することのできる下方タンク区域８８である。その場合、上方タンク区域８２は、汚濁液タンク６０の突出エリア８０が後壁３２内の第１貫通開口５２に侵入するように、水平に整列する枢軸の周りで後向きに枢動することができる。
【手続補正２】
【補正対象書類名】明細書
【補正対象項目名】００６０
【補正方法】変更
【補正の内容】
【００６０】
汚濁液タンク６０には、充填装置９４を介して充填が行われる。充填装置９４は、楔形の構成であり汚濁液タンク６０の上側６２に垂直方向に設置することのできるプレート形の保持部材９６を有する。保持部材９６はその下側で、汚濁液タンク６０内へ延びる充填チャネル９８を担持するのであり、充填チャネル９８と平行に走るのは通気チャネル１００である。通気チャネル１００も、汚濁液タンク６０内へ延び、上端区域が保持部材９６を越えて突き出る。このことは、特に図２から明らかであろう。
【手続補正３】
【補正対象書類名】明細書
【補正対象項目名】００６７
【補正方法】変更
【補正の内容】
【００６７】
上述したように、可搬式硬表面洗浄器具１０は使用者により硬表面に沿って、特に窓ガラスに沿って移動させることができる。このことにより、第１拭き去りリップ１３２及び第２拭き去りリップ１３４を用いて硬表面から液体を拭き去ることが可能になる。この間、液体は吸引開口１３０に集積し、吸引空気と共に吸引線１２８を介して分離チャンバ１１８内に吸引される。分離チャンバ１１８内では、気液混合体は、まず運び去られる液体の一部がそこで分離される衝突プレート１２２に当たる。衝突プレート１２２から距離をおいたところに配置される衝突壁１２０で、液体の更なる分離が生じる。その際、吸込み空気は、パイプ区域１２４及びタービン入口線２０を介して吸引ユニット１４の吸引タービン１６まで通ることができる。吸込み空気は吸引タービン１６からタービン出口線５８を介して、タンク収容区画３０の後壁３２の中間壁区域４８と汚濁液タンク６０の中間タンク区域８４との間に配置される空気出口空間１４０内へ導かれる。その後、吸込み空気は空気出口空間１４０から、間隙状の空間１４２を介して環境に放出することができる。空間１４２は中間タンク区域８４内で、タンク収容区画３０の側壁３４、３６と汚濁液タンク６０の狭窄側７４、７６との間に延びる。
【手続補正４】
【補正対象書類名】図面
【補正対象項目名】図１
【補正方法】変更
【補正の内容】
【図１】
2016527951.tif 000010
【手続補正５】
【補正対象書類名】図面
【補正対象項目名】図２
【補正方法】変更
【補正の内容】
【図２】
2016527951.tif 000011
【国際調査報告】
2016527951.tif 000012
2016527951.tif 000013
2016527951.tif 000014
2016527951.tif 000015